(57)【要約】【課題】消しゴムが小さくなっても使用者にとって使用しやすい消しゴムを実現する。【解決手段】ブロック消しゴム１は、方体形状の消しゴム本体２の正面３に複数の柱状の凸部７が所定配列で形成され、消しゴム本体２の背面４には複数の柱状の凹部１０が、所定配列に対応する対応配列で形成され、複数の凹部１０の各々は凸部７を嵌め込み可能であり、ブロック消しゴム１と同じ構成の他のブロック消しゴム１に対し、ブロック消しゴム１の凹部１０に他のブロック消しゴム１の凸部７を嵌め込むことにより、又は、他のブロック消しゴム１の凹部１０にブロック消しゴム１の凸部７を嵌め込むことにより連結可能である。【選択図】図１
2020142461.tif 000002
【特許請求の範囲】
【請求項１】
ブロック消しゴムであって、
直方体形状の消しゴム本体の正面に複数の柱状の凸部が所定配列で形成され、
前記消しゴム本体の背面には複数の柱状の凹部が、前記所定配列に対応する対応配列で形成され、
前記複数の凹部の各々は、前記凸部を嵌め込み可能であり、
当該ブロック消しゴムと同じ構成の他のブロック消しゴムに対し、当該ブロック消しゴムの前記凹部に前記他のブロック消しゴムの凸部を嵌め込むことにより、又は、前記他のブロック消しゴムの前記凹部に当該ブロック消しゴムの前記凸部を嵌め込むことにより連結可能であるブロック消しゴム。
【請求項２】
前記消しゴム本体の側面うち、前記正面の長辺から延びる長辺側側面には、複数の柱状の側面凸部が形成されている、請求項１に記載のブロック消しゴム。
【請求項３】
前記消しゴム本体の正面は、正面から見た場合に、長手方向の一端に近い位置から複数の凸部が互いに近接して連続的に配置された連結用領域と、該連結用領域の他端側に連続する領域であって短手方向に沿って少なくとも１列の凸部を配置可能な平坦領域とにより構成されている、請求項１又は２に記載のブロック消しゴム。
【請求項４】
請求項１乃至３の何れか１つに記載のブロック消しゴムと、該ブロック消しゴムの正面に連結可能な連結用消しゴムとを備えた消しゴムセットであって、
前記連結用消しゴムは、裏側に前記凸部を嵌め込み可能な第２凹部が形成された板状部と、一定方向に隣り合って並ぶ複数の三角柱により構成されて前記複数の三角柱が前記板状部の表側に一体形成されてギザギザ面を形成するギザギザ部とを備え、
前記ギザギザ部は、前記複数の三角柱が前記板状部により連結されており、前記板状部を切断することにより前記三角柱を切り離すことが可能な消しゴムセット。
【請求項５】
請求項２に記載に記載のブロック消しゴムと、該ブロック消しゴムの側面に連結可能な連結用消しゴムとを備えた消しゴムセットであって、
前記連結用消しゴムは、裏側に前記側面凸部を嵌め込み可能な側面用凹部が形成された板状部と、一定方向に隣り合って並ぶ複数の三角柱により構成され、前記複数の三角柱が前記板状部の表側に一体形成されてギザギザ面を形成するギザギザ部とを備え、
前記ギザギザ部は、前記複数の三角柱が前記板状部により連結されており、前記板状部を切断することにより前記三角柱を切り離すことが可能な消しゴムセット。
【請求項６】
請求項１乃至３の何れか１つに記載のブロック消しゴムと、該ブロック消しゴムの正面に連結可能な連結用消しゴムとを備えた消しゴムセットであって、
前記連結用消しゴムは、裏側に前記凸部を嵌め込み可能な第２凹部又は貫通孔が形成された板状部により構成され、前記ブロック消しゴムに対し、前記第２凹部又は貫通孔に前記凸部を嵌め込むことにより前記ブロック消しゴムの正面を覆うように連結可能な消しゴムセット。
【請求項７】
請求項１乃至３の何れか１つに記載のブロック消しゴムの正面に連結可能な連結用消しゴムであって、
裏側に前記凸部を嵌め込み可能な第２凹部が形成された板状部と、
一定方向に隣り合って並ぶ複数の三角柱により構成されて前記複数の三角柱が前記板状部の表側に一体形成されてギザギザ面を形成するギザギザ部とを備え、
前記ギザギザ部は、前記複数の三角柱が前記板状部により連結されており、前記板状部を切断することにより前記三角柱を切り離すことが可能な連結用消しゴム。
【請求項８】
請求項２に記載のブロック消しゴムの側面に連結可能な連結用消しゴムであって、
裏側に前記側面凸部を嵌め込み可能な側面用凹部が形成された板状部と、
一定方向に隣り合って並ぶ複数の三角柱により構成され、前記複数の三角柱が前記板状部の表側に一体形成されてギザギザ面を形成するギザギザ部とを備え、
前記ギザギザ部は、前記複数の三角柱が前記板状部により連結されており、前記板状部を切断することにより前記三角柱を切り離すことが可能な連結用消しゴム。
【請求項９】
請求項１乃至３の何れか１つに記載のブロック消しゴムの正面に連結可能な連結用消しゴムであって、
裏側に前記凸部を嵌め込み可能な第２凹部又は貫通孔が形成された板状部により構成され、
前記ブロック消しゴムに対し、前記第２凹部又は貫通孔に前記凸部を嵌め込むことにより前記ブロック消しゴムの正面を覆うように連結可能な連結用消しゴム。
【発明の詳細な説明】
【技術分野】
【０００１】
本発明は、消しゴムに関する。
【背景技術】
【０００２】
従来から，様々な消しゴムが知られている。非特許文献1には，LEGOブロック消しゴムが記載されている。LEGOブロック消しゴムは、プラスティック製のLEGOブロックと嵌め合わせの規格を共通化させることで，積木型玩具として消しゴムを使用できるようにしたものである。
【先行技術文献】
【非特許文献】
【０００３】
【非特許文献１】LEGOレゴブロック消しゴムのアマゾン販売サイト、［online］、［平成30年2月20日検索］、インターネット＜URL:https://www.amazon.co.jp/レゴ-LEGO-LEGO-レゴブロック-消しゴム/dp/B007DMG87M＞
【発明の概要】
【発明が解決しようとする課題】
【０００４】
従来の消しゴムは、使用していくにつれて小さくなり使い難くなる。本発明は、このような事情に鑑みてなされたものであり、消しゴムが小さくなっても使用者にとって使用しやすい消しゴムを実現することを目的とする。
【課題を解決するための手段】
【０００５】
上述の課題を解決するべく、第１の発明は、ブロック消しゴムであって、直方体形状の消しゴム本体の正面に複数の柱状の凸部が所定配列で形成され、消しゴム本体の背面には複数の柱状の凹部が、所定配列に対応する対応配列で形成され、複数の凹部の各々は、凸部を嵌め込み可能であり、当該ブロック消しゴムと同じ構成の他のブロック消しゴムに対し、当該ブロック消しゴムの凹部に他のブロック消しゴムの凸部を嵌め込むことにより、又は、他のブロック消しゴムの凹部に当該ブロック消しゴムの凸部を嵌め込むことにより連結可能であるブロック消しゴムである。
【０００６】
第２の発明は、第１の発明において、消しゴム本体の側面うち、正面の長辺から延びる長辺側側面には、複数の柱状の側面凸部が形成されている。
【０００７】
第３の発明は、第１又は第２の発明において、消しゴム本体の正面は、正面から見た場合に、長手方向の一端に近い位置から複数の凸部が互いに近接して連続的に配置された連結用領域と、該連結用領域の他端側に連続する領域であって短手方向に沿って少なくとも１列の凸部を配置可能な平坦領域とにより構成されている。
【０００８】
第４の発明は、第１乃至第３の何れか１つの発明のブロック消しゴムと、該ブロック消しゴムの正面に連結可能な連結用消しゴムとを備えた消しゴムセットであって、連結用消しゴムは、裏側に凸部を嵌め込み可能な第２凹部が形成された板状部と、一定方向に隣り合って並ぶ複数の三角柱により構成されて複数の三角柱が板状部の表側に一体形成されてギザギザ面を形成するギザギザ部とを備え、ギザギザ部は、複数の三角柱が板状部により連結されており、板状部を切断することにより三角柱を切り離すことが可能な消しゴムセットである。
【０００９】
第５の発明は、第２の発明のブロック消しゴムと、該ブロック消しゴムの側面に連結可能な連結用消しゴムとを備えた消しゴムセットであって、連結用消しゴムは、裏側に側面凸部を嵌め込み可能な側面用凹部が形成された板状部と、一定方向に隣り合って並ぶ複数の三角柱により構成され、複数の三角柱が板状部の表側に一体形成されてギザギザ面を形成するギザギザ部とを備え、ギザギザ部は、複数の三角柱が板状部により連結されており、板状部を切断することにより三角柱を切り離すことが可能な消しゴムセットである。
【００１０】
第６の発明は、第１乃至第３の何れか１つの発明のブロック消しゴムと、該ブロック消しゴムの正面に連結可能な連結用消しゴムとを備えた消しゴムセットであって、連結用消しゴムは、裏側に凸部を嵌め込み可能な第２凹部が形成された板状部により構成され、ブロック消しゴムに対し、第２凹部に凸部を嵌め込むことによりブロック消しゴムの正面を覆うように連結可能な消しゴムセットである。
【００１１】
第７の発明は、第１乃至第３の何れか１つの発明のブロック消しゴムの正面に連結可能な連結用消しゴムであって、裏側に凸部を嵌め込み可能な第２凹部が形成された板状部と、一定方向に隣り合って並ぶ複数の三角柱により構成されて複数の三角柱が板状部の表側に一体形成されてギザギザ面を形成するギザギザ部とを備え、ギザギザ部は、複数の三角柱が板状部により連結されており、板状部を切断することにより三角柱を切り離すことが可能な連結用消しゴムである。
【００１２】
第８の発明は、第２の発明のブロック消しゴムの側面に連結可能な連結用消しゴムであって、裏側に側面凸部を嵌め込み可能な側面用凹部が形成された板状部と、一定方向に隣り合って並ぶ複数の三角柱により構成され、複数の三角柱が板状部の表側に一体形成されてギザギザ面を形成するギザギザ部とを備え、ギザギザ部は、複数の三角柱が板状部により連結されており、板状部を切断することにより三角柱を切り離すことが可能な連結用消しゴムである。
【００１３】
第９の発明は、第１乃至第３の何れか１つの発明のブロック消しゴムの正面に連結可能な連結用消しゴムであって、裏側に凸部を嵌め込み可能な第２凹部が形成された板状部により構成され、ブロック消しゴムに対し、第２凹部に凸部を嵌め込むことによりブロック消しゴムの正面を覆うように連結可能な連結用消しゴムである。
【発明の効果】
【００１４】
本発明では、消しゴムが小さくなっても使用者にとって使用しやすい消しゴムを実現することができる。
【図面の簡単な説明】
【００１５】
【図１】図１（ａ）は、ブロック消しゴムの正面側の斜視図であり、図１（ｂ）は、ブロック消しゴムの背面側の斜視図であり、図１（ｃ）は、２つのブロック消しゴムを連結した状態の斜視図である。
【図２】図２（ａ）は、第１角パーツの正面側の斜視図であり、図２（ｂ）は、第１角パーツの背面側の斜視図である。
【図３】図３（ａ）は、第１角パーツをブロック消しゴムに連結した正面側の斜視図であり、図３（ｂ）は、三角柱を切り離した第１角パーツをブロック消しゴムに連結した正面側の斜視図である。
【図４】図４（ａ）は、第２角パーツの正面側の斜視図であり、図４（ｂ）は、第２角パーツの背面側の斜視図である。
【図５】図５（ａ）は、第２角パーツをブロック消しゴムに連結した正面側の斜視図であり、図５（ｂ）は、三角柱を切り離した第２角パーツをブロック消しゴムに連結した正面側の斜視図である。
【図６】図６は、カバーパーツの正面側の斜視図である。
【図７】図７は、ブロック消しゴムにカバーパーツを連結した正面側の斜視図である。
【図８】図８は、各円柱を上下左右に多数配置するときの規則を示した図である。
【発明を実施するための形態】
【００１６】
以下、図１−図８を参照しながら、本発明の実施形態を詳細に説明する。なお、以下の実施形態は、本発明の一例であって、本発明、その適用物、あるいはその用途の範囲を制限することを意図するものではない。
【００１７】
［消しゴムセットの構成］
本実施形態は、ブロック消しゴム１（図１、図８）と、第１角パーツ１３（図２、図３）と、第２角パーツ２２（図４、図５）、カバーパーツ３１（図６、図７）とにより構成された消しゴムセットである。第１角パーツ１３と第２角パーツ２２とカバーパーツ３１は、ブロック消しゴム１に連結可能な連結用消しゴムに相当する。ブロック消しゴム１は、第１角パーツ１３と第２角パーツ２２とカバーパーツ３１に加え、同じ構成の他のブロック消しゴム１と連結可能である。
【００１８】
本実施形態では、小さくなると使いにくいという要求を満たすために連結可能なブロック消しゴム１を考えた。通常の消しゴムの機能は維持した上で、消しにくい細かい部分を消すことができる機能を実現するために、第１角パーツ１３と第２角パーツ２２を考えた。消しゴムセットを連結する円柱状の凹凸によって掴みにくいという欠点があり、掴み心地を改善するためにカバーパーツ３１を考えた。
【００１９】
［ブロック消しゴムの構成］
ブロック消しゴム１は、直方体形状の消しゴム本体２を備えている。消しゴム本体２は、最も面積が大きい一対の正面３及び背面４と、正面３の長辺と背面４の長辺と間に延びる一対の長辺側側面５，６と、正面３の短辺と背面４の短辺と間に延びる一対の短辺側側面とを有する。各短辺側側面は、平坦面である。
【００２０】
消しゴム本体２の正面３には、複数の柱状（円柱状）の凸部７が所定配列で形成されている。この所定配列は、互いに直交する格子の各格子点に凸部７がそれぞれ配置された格子配列である。正面３における全ての凸部７は、互いに同じ形状で同じ大きさである。
【００２１】
消しゴム本体２の正面３は、正面視において、長手方向の一端に近い位置から複数の凸部７が互いに近接して連続的に配置された連結用領域８と、該連結用領域８の他端側に連続する領域であって短手方向に沿って少なくとも１列の凸部７を配置可能な平坦領域９とにより構成されている。
【００２２】
消しゴム本体２の背面４には、複数の柱状（円柱状）の凹部１０が、上述の所定配列に対応する対応配列で形成されている。この対応配列は、所定配列と同じ格子配列である。背面４における全ての凹部１０は、互いに同じ形状で同じ大きさである。複数の凹部１０の各々には、対応する位置の凸部７を嵌め込み可能である。
【００２３】
消しゴム本体２の背面４は、正面視において、長手方向の一端に近い位置から複数の凹部１０が互いに近接して連続的に配置された連結用領域８と、該連結用領域８の他端側に連続する領域であって短手方向に沿って少なくとも１列の凹部１０を配置可能な平坦領域９とにより構成されている。
【００２４】
ブロック消しゴム１の長辺側側面５，６には、複数の柱状（円柱状）の側面凸部１１が格子配列で形成されている。各側面凸部は、正面３の凸部７と同じ形状で同じ大きさである。また、消しゴム本体２の長辺側側面５，６は、正面３と同様に、連結用領域８と平坦領域９とにより構成されている。
【００２５】
具体的に、ブロック消しゴム１の直方体各面への円柱（凸部７、凹部１０、側面凸部１１の配置規則について、円柱間の中心間距離ｐを基準とし、円柱の直径ｄ、円柱端部から直方体の稜線までの突き出し長さ（ｌならびにｍ）、円柱の高さｈを、円柱間の中心間距離ｐから確定することができる。
【００２６】
各円柱を上下左右に多数配置するときは、円柱の中心部は正方形格子の交点に形成する。各円柱の直径ｄは、円柱間中心距離ｐを0.625倍した長さである（直径ｄ＜距離ｐ）。円柱端部から直方体稜線までの突き出し長さｌは、円柱間中心距離ｐを0.156倍した長さである（長さｌ＜距離ｐ）。円柱端部から直方体稜線までの突き出し長さｍは、円柱間中心距離ｐを1.469倍した長さである（長さｍ＜距離ｐ）。各円柱の高さｈは、円柱間中心距離ｐを0.213倍した長さである。ブロック消しゴム１の正面３には１２個の凸状の円柱を形成する。ブロック消しゴム１の背面４には、１２個の凹状の円柱を形成する。ブロック消しゴム１の長辺側側面５，６には８個の凸状の円柱を形成する。
【００２７】
以上の構成により、図１（ｃ）に示すように、ブロック消しゴム１は、第２のブロック消しゴム１と正面３ならびに背面４を合わせることで連結することができる。
【００２８】
［第１角パーツの構成］
第１角パーツ１３は、上述したように、ブロック消しゴム１の正面３に連結可能な連結用消しゴムである。第１角パーツ１３は、裏側に凸部７を嵌め込み可能な第２凹部１４が形成された板状部１５と、一定方向に隣り合って並ぶ複数の三角柱１６により構成されて複数の三角柱１６が板状部１５の表側に一体形成されてギザギザ面を形成するギザギザ部１７とを備えている。板状部１５では、複数の第２凹部１４が、上述の所定配列に対応する対応配列（所定配列と同じ格子配列）で形成されている。ギザギザ部１７は、複数の三角柱１６が板状部１７により連結されており、板状部１７を切断することにより三角柱１６を切り離すことが可能である。
【００２９】
第１角パーツ１３は、さらに次の特徴を有する。
第１角パーツ１３において、最も面積が大きい一対の正面１８及び背面１９が、ブロック消しゴム１の正面３ならびに背面４と同一の形状であり、かつ同一の面積を有する。第１角パーツの正面１８と背面１９は平行であり、両平面間の距離を肉厚２０とする。第１角パーツ１３の三角柱の断面において、三角柱の稜線を法線とする面上に写像する２辺の内角２１が６０°である。第１角パーツ１３の背面には、１２個の凹状の円柱１４を形成する。第１角パーツ１３の円柱の各々は、切り離して使用することができる。第１角パーツ１３は、ブロック消しゴム１の平面に配置された１２個の柱状凸部と、第１角パーツ１３の底面に配置された１２個の柱状凹部１４を合わせることで連結することができる。
【００３０】
［第２角パーツの構成］
第２角パーツ２２は、上述したように、ブロック消しゴム１の長辺側側面５、６に連結可能な連結用消しゴムである。第２角パーツ２２は、裏側に側面凸部１１を嵌め込み可能な側面用凹部２３が形成された板状部２４と、一定方向に隣り合って並ぶ複数の三角柱２６により構成されて複数の三角柱２６が板状部２４の表側に一体形成されてギザギザ面を形成するギザギザ部２５とを備えている。板状部２４では、複数の側面用凹部２３が、側面凸部１１の配列に対応する格子配列で形成されている。ギザギザ部２４は、複数の三角柱２６が板状部２４により連結されており、板状部２４を切断することにより三角柱２６を切り離すことが可能である。
【００３１】
第２角パーツ２２は、さらに次の特徴を有する。
第２角パーツ２２において、最も面積が大きい一対の正面２７及び背面２８が、ブロック消しゴム１の側面５、６と同一の形状であり、かつ同一の面積を有する。第２角パーツの正面２７と背面２８は平行であり、両平面間の距離を肉厚２９とする。第２角パーツ２２の三角柱の断面において、三角柱の稜線を法線とする面上に写像する２辺の内角３０が６０°である。第２角パーツ２２の背面には、８個の凹状の円柱２３を形成する。第２角パーツ２２の円柱の各々は、切り離して使用することができる。第２角パーツ２２は、前記ブロック消しゴム１の側面に配置された８個の柱状凸部と、第２角パーツ２２の底面に配置された８個の柱状凹部２３を合わせることで連結することができる。
【００３２】
［カバーパーツの構成］
カバーパーツ３１は、上述したように、ブロック消しゴム１の正面３に連結可能な連結用消しゴムである。カバーパーツ３１は、裏側に凸部７を嵌め込み可能な複数の円形の貫通孔３２が形成された板状部３３により構成されている。板状部３３では、複数の貫通孔３２が、上述の所定配列に対応する対応配列（所定配列と同じ格子配列）で形成されている。カバーパーツ３１は、ブロック消しゴム１に対し、貫通孔３２に凸部７を嵌め込むことによりブロック消しゴム１の正面を覆うように連結可能である。なお、貫通孔３２の代わりに、凸部７に対応する形状の凹部（円形の凹部）を形成してもよい。
【００３３】
カバーパーツ８は、さらに次の特徴を有する。
カバーパーツ３１の平面には１２個の柱状の貫通穴を形成する。カバーパーツ３１の正面の穴は、前記ブロック消しゴム１の正面の凸部と対称にある。カバーパーツ３１は、ブロック消しゴム１の正面に嵌め合わせることができる。カバーパーツ３１とブロック消しゴム１が合わさった状態において、その表面には凸凹がなく平滑化３４される。
【産業上の利用可能性】
【００３４】
本発明は、消しゴムに適用可能である。
【符号の説明】
【００３５】
１     ブロック消しゴム
２     消しゴム本体
３     正面
４     背面
７     凸部
１０   凹部
【図１】
2020142461.tif 000003
【図２】
2020142461.tif 000004
【図３】
2020142461.tif 000005
【図４】
2020142461.tif 000006
【図５】
2020142461.tif 000007
【図６】
2020142461.tif 000008
【図７】
2020142461.tif 000009
【図８】
2020142461.tif 000010